(57)【要約】【課題】空気調和機用室内機の冷暖房運転時（特に高温高湿の空気条件時など）において、空気吹出し口から霧が吹く場合があり、使用者に視覚的な不快感を与えたり、空気吹出し口のフラップ部分などが結露して水落ちや水飛びを生じたりする問題がある。  これを解決する。【解決手段】本体ケーシングと、該本体ケーシングの空気吸込口から吸込んだ室内の空気を空気熱交換器を介して熱交換した後に上記本体ケーシングの空気吹出口から室内に吹き出す空調用ファンとを備えてなる空気調和機用室内機において、上記空気熱交換器通過後の空気流路に、上記空気熱交換器を蒸発器として使用した場合に、上記空気熱交換器部分で空気中の水分が冷やされて生じる霧を捕集する霧捕集手段を設けた。  このような構成によると、発生した霧を霧キャッチ用の霧捕集手段が捕集することにより、空気吹出し口からの霧吹きが防止される。そして、捕集されて結露した水分は、例えばスムーズにドレンパン部分に導入されて、外部に排出される。【選択図】        図１
2008151402.tif 000002
【特許請求の範囲】
【請求項１】
本体ケーシングと、該本体ケーシングの空気吸込口から吸込んだ室内の空気を空気熱交換器を介して熱交換した後に上記本体ケーシングの空気吹出口から室内に吹き出す空調用ファンとを備えてなる空気調和機用室内機において、上記空気熱交換器通過後の空気流路に、上記空気熱交換器を蒸発器として使用した場合に、上記空気熱交換器部分で空気中の水分が冷やされて生じる霧を捕集する霧捕集手段を設けたことを特徴とする空気調和機用室内機。
【請求項２】
霧捕集手段は、吸水性の材料からなるネット状部材であることを特徴とする請求項１記載の空気調和機用室内機。
【請求項３】
霧捕集手段は、親水性の材料からなるネット状部材であることを特徴とする請求項１記載の空気調和機用室内機。
【請求項４】
ネット状部材の網目部は、捕集され結露した水が下方に流下しやすいように下方に向けて傾斜した構成となっていることを特徴とする請求項１，２又は３記載の空気調和機用室内機。
【請求項５】
ネット状部材は、その全体が一端側から他端側ドレンパン部分にかけて傾斜した状態で設けられていることを特徴とする請求項２，３又は４記載の空気調和機用室内機。
【発明の詳細な説明】
【技術分野】
【０００１】
本願発明は、霧吹防止手段を備えた空気調和機用室内機の構造に関するものである。
【背景技術】
【０００２】
空気熱交換器が蒸発器として使用される空気調和機用室内機の冷房運転時（特に高温高湿の空気条件時）において、上記空気熱交換器部分で空気中の水分が冷やされて霧が生じ、それが空気吹出し口から吹き出される場合があり、使用者に視覚的な不快感を与えたり、同霧の水分が空気吹出し口のフラップ部分などで結露して、水落ちや水飛びを生じる問題がある。
【０００３】
この現象は、特に油を使用することが多い飲食店などにおいて、親水性処理を施されている上記空気熱交換器の表面が油で汚れ、その親水性が低下した場合などに生じやすい。親水性が低下すると、熱交換器表面における水分凝縮性能、吸着性能が低下するので、発生した霧成分がそのまま下流側に飛ばされやすくなる。
【０００４】
このような問題に関連して、例えば同問題を解決するための手段として、平行に配置された伝熱管と、該伝熱管に対して直交状態で嵌挿配置された板状の伝熱フィンとからなる熱交換器において、上記伝熱フィンに、上記伝熱管の後流側における伝熱管からフィン後縁端に至るフィン幅がフィン前縁端から伝熱管に至るフィン幅よりも広くなるように面積拡大部を一体に形成したものがある（特許文献１参照）。
【０００５】
このような構成によれば、蒸発器として使用した場合（例えば、上記油煙の多い厨房等において蒸発器として使用した場合）には、伝熱管の後流側は他の部分（例えば伝熱管相互間）より温度が低くなる傾向があるが、当該部分に面積拡大部が形成されているので、温度の高い伝熱管相互間からの熱影響を受け易くなり、温度の均一化が進むこととなる。
【０００６】
従って、伝熱管の後流側を流れる空気流の温度低下が緩和され、露点温度以下になりにくくなるので、白霧の発生を抑制することができる。
【０００７】
【特許文献１】特開平１０−１８４４７６号公報（明細書１−３頁、図１−４）
【発明の開示】
【発明が解決しようとする課題】
【０００８】
しかし、このような構成の場合、白霧の発生を或る程度抑制できる効果はあるものの、白霧の発生自体を防ぐことはできず、発生した霧成分を捕集し、室内に吹き出させないようにすることはできない。
【０００９】
そこで、本願発明は、以上の問題を解決するために、空調機の熱交換器通過後の流路に、親水性または吸水性の材料からなる霧キャッチ用ネット等の霧捕集手段を設置することにより、より確実に空気吹出し口からの霧吹きを防止するようにした空気調和機を提供することを目的とするものである。
【課題を解決するための手段】
【００１０】
本願発明は、上記の問題を解決することを目的としてなされたものであって、次のような有効な課題解決手段を備えて構成されている。
【００１１】
（１）  第１の課題解決手段
この発明の第１の課題解決手段は、本体ケーシングと、該本体ケーシングの空気吸込口から吸込んだ室内の空気を空気熱交換器を介して熱交換した後に上記本体ケーシングの空気吹出口から室内に吹き出す空調用ファンとを備えてなる空気調和機用室内機において、上記空気熱交換器通過後の空気流路に、上記空気熱交換器を蒸発器として使用した場合に、上記空気熱交換器部分で空気中の水分が冷やされて生じる霧を捕集する霧捕集手段を設けたことを特徴としている。
【００１２】
このような構成によると、空気熱交換器部分で発生した霧を、その下流側空気吹出口手前の霧捕集手段が確実に捕集することにより、空気吹出し口からの霧吹きが防止される。そして、霧が捕集されて結露した水分が、例えばドレンパンに導入されて外部に排出される。
【００１３】
（２）  第２の課題解決手段
この発明の第２の課題解決手段は、上記第１の課題解決手段の構成において、霧捕集手段は、吸水性の材料からなるネット状部材であることを特徴としている。
【００１４】
このような構成によれば、吸水性のネット状部材により通風抵抗を大きくすることなく、素材自体の吸水作用を利用した効率的な霧の捕集が可能となる。
【００１５】
（３）  第３の課題解決手段
この発明の第３の課題解決手段は、上記第１の課題解決手段の構成において、霧捕集手段は、親水性の材料からなるネット状部材であることを特徴としている。
【００１６】
このような構成によれば、親水性のネット状部材により通風抵抗を大きくすることなく、素材自体の親水作用を利用した効率的な霧の捕集と排出が可能となる。
【００１７】
（４）  第４の課題解決手段
この発明の第４の課題解決手段は、上記第１，第２又は第３の課題解決手段の構成において、ネット状部材の網目部は、捕集され結露した水が下方に流下しやすいように下方に向けて傾斜した構成となっていることを特徴としている。
【００１８】
このような構成によれば、網目部で水滴のブリッジなどを生じることなく、捕集された水分がドレンパン側に速やかに導入されるようになるため、網目部分に結露水が滞留して通風を阻害するようなこともない。
【００１９】
（５）  第５の課題解決手段
この発明の第５の課題解決手段は、上記第２，第３又は第４の課題解決手段の構成において、ネット状部材は、その全体が一端側から他端側ドレンパン部分にかけて傾斜した状態で設けられていることを特徴としている。
【００２０】
このような構成によれば、ネット上で水滴のブリッジなどを生じることなく、捕集された水分はドレンパンに速やかに導入されるため、ネット部分が通風を阻害することもない。
【発明の効果】
【００２１】
以上の結果、本願発明によると、冷房時、霧吹きの生じににくい快適性の高い空気調和機を低コストに実現することができる。
【発明を実施するための最良の形態】
【００２２】
以下、添付の図面を参照して、本願発明を実施するための幾つかの最良の実施の形態について説明する。
【００２３】
（第１の実施の形態）
先ず図１および図２は、本願発明の第１の実施の形態に係る例えばマルチフロー（又はラウンドフロー）型天井埋込式空気調和機用室内機および同室内機の霧捕集手段の構成を示している。
【００２４】
図１中、先ず符号２は、当該天井埋込式空気調和機１のカセット型の本体ケーシングである。該本体ケーシング２は、その吸気・吹出パネル（下面パネル部）４が天井３と略同一平面状に連続するようにして、天井３内に埋設されている。
【００２５】
そして、上記本体ケーシング２の上記吸気・吹出パネル４には、中央部に方形の空気吸込口５が設けられ、さらに、その内側に遠心ファンの一例であるターボファン１１用のベルマウス６が連設されている。
【００２６】
また、上記本体ケーシング２の吸気・吹出パネル４の上記空気吸込口５の外周部４方には、所定の幅の空気吹出口９，９・・が設けられている。
【００２７】
そして、上記本体ケーシング２内には上記空気吸込口５から上記ベルマウス６を経て上記空気吹出口９，９・・方向に到る全周方向の通風路１０が形成されており、該通風路１０の上記ベルマウス６の背後（図示上部）中央に位置して、その空気吸込側（後述する側板１５側）が上記ベルマウス６に対応するターボファン１１がファンモータ１３およびファンモータ１３の回転駆動軸１３ａを介して上記本体ケーシング２の天板２ａ部分に吊設されている。
【００２８】
また、同通風路１０には、当該ターボファン１１を囲む状態で空気熱交換器１２が設けられている。
【００２９】
一方、当該ターボファン１１は、上記ファンモータ１３の回転駆動軸１３ａに対してボス部１４ａを介して固定された円形の主板１４とターボファン羽根車内遠心方向への空気吸込口を形成する他端側筒状の側板１５との間に多数枚の羽根（動翼羽根）１６，１６・・・を所定の翼角、所定の翼間隔で周方向に並設して構成されている。他方、その側板１５の浅筒状の空気吸込側端部内側には、上記ベルマウス６の下流側筒状の空気流出口側端部が所定の隙間を保って相対回転可能に所定寸法遊嵌されている。
【００３０】
上記ベルマウス６は、上記ターボファン羽根車の空気吸込口を形成している側板１５の空気吸込側端部に対して上記本体ケーシング２側空気吸込口５からの空気を羽根車内遠心方向にスムーズに流入させるために、図示のように吸気・吹出パネル４への取付縁部から内方に延び、その空気流上流側から空気流下流側にかけて次第に開口径が縮小した所定曲率半径の空気流入口部と空気流出口部とからなる気流ガイド面を有して構成されている。
【００３１】
そして、その形状により上記ターボファン羽根車の側板１５に対応して、上記ターボファン羽根車の吸込側の空気を当該吸込側において吹出側遠心方向にスムーズに吸込ガイドすることによって送風時に生じる空力騒音を低減するようにしている。
【００３２】
ところで、高温、高湿時等に上記空気熱交換器１２を蒸発器として使用した場合には、上記空気熱交換器部分で空気中の水分が冷やされて霧が生じる問題がある。
【００３３】
そこで、この実施の形態の場合、上記ターボファン羽根車１１の下流側熱交換器１２と空気吹出口９の間には、例えば図２に詳細に示すような、それぞれ下方に向けて傾斜し、付着凝縮した水が流下しやすい、例えば菱形の網目部１９ａ，１９ａ・・・を有する霧捕集手段としての霧捕集用のネット１９が、その下端側をドレンパン１８内に挿入するとともに上端側を本体ケーシング２の側板上部に取り付けた傾斜状態で設けられている。
【００３４】
このように空気熱交換器４通過後の空気流路に霧捕集用のネット１９をドレンパン１８部分に向けて下降するように傾斜させて設けると、空気熱交換器１２部分で発生した霧を霧捕集用ネット１９が捕集することにより、空気吹出し口９からの霧吹きが防止される。そして、霧が捕集されて結露した水分が、そのままドレンパン１８内に導入されて外部に排出される。
【００３５】
そして、その網目部１９ａ，１９ａ・・・をもそれぞれ下方に傾斜させているので、霧捕集用ネット１９上で水滴のブリッジなどを生じることなく、捕集された水分はスムーズにドレンパン１８内に速やかに導入されるため、ネット部分が通風を阻害することもない。
【００３６】
また上記霧捕集ネット１９は、例えば吸水性の材料（綿糸等）からなるネット状部材であるか、または親水性材料からなるネット部材となっている。
【００３７】
前者のような構成によれば、吸水性のネット状部材により通風抵抗を大きくすることなく、素材自体の吸水作用を利用した効率的な霧の捕集が可能となる。
【００３８】
また、後者のような構成によれば、親水性のネット状部材により通風抵抗を大きくすることなく、素材自体の親水作用を利用した効率的な霧の捕集と排出が可能となる。
【００３９】
しかも、上記のように、上記ネット状部材１９の網目部１９ａ，１９ａ・・・は、それぞれ捕集され結露した水がドレンパン１８側の下方に流下しやすいように下方に向けて傾斜した構成となっており、かつその全体が一端側から他端側ドレンパン１８にかけて傾斜した状態で設けられている。
【００４０】
したがって、このような構成によれば、網目部１９ａ，１９ａ・・・で水滴のブリッジなどを生じることなく、捕集された水分がドレンパン１８側に可及的速やかに導入されるため、網目部１９ａ，１９ａ・・・部分に結露水が滞留して通風を阻害するようなこともない。
【００４１】
以上の結果、同実施形態の構成によると、霧吹きの生じににくい快適性の高い空気調和機を低コストに実現することができる。
【００４２】
なお、以上の説明および図示の形態では、霧捕集ネット１９を１層状態で示したが、これは２層、３層と複数層とすることもできる。その場合、捕集量、捕集効率と空気圧損との関係を考慮し、また網目径との関係を考慮して採用層数を決定する。
【００４３】
（第２の実施の形態）
次に図３は、本願発明の第２の実施の形態に係る空気調和機用室内機および同室内機の霧捕集手段の構成を示している。この実施の形態では、左右一対の通風路３０ａ，３０ｂ、左右一対のクロスフローファン３１ａ，３１ｂ、左右一対の空気熱交換器３２ａ，３２ｂ、左右一対の空気吹出口２９ａ，２９ｂを備えたダブルフロー型の天井埋込式空気調和機が採用されている。
【００４４】
図３中、先ず符号２０は、当該天井埋込式空気調和機１のカセット型の本体ケーシングである。該本体ケーシング２０は、その吸気・吹出パネル（下面パネル部）２４が天井３と略同一平面状に連続するようにして、天井３内に埋設されている。
【００４５】
そして、上記本体ケーシング２０の上記吸気・吹出パネル２４には、中央部に方形の空気吸込口２５が設けられ、さらに、その内側上方に左右一対の空気熱交換器３２ａ，３２ｂが略ハの字状に配設されている。
【００４６】
また、上記本体ケーシング２０の吸気・吹出パネル２４の上記空気吸込口２５の左右両側には、所定の幅の空気吹出口２９ａ，２９ｂが前後方向に延びて設けられている。
【００４７】
そして、上記本体ケーシング２０内には上記空気吸込口２５から上記空気吹出口２９ａ，２９ｂ方向に到る左右両方向に分岐する２つのスクロール構造の通風路３０ａ，３０ｂが形成されており、該２つの通風路３０ａ，３０ｂ下流側の上記空気熱交換器３２ａ，３２ｂの背後中央に位置して左右一対のクロスフローファン３１ａ，３１ｂが設けられている。同クロスフローファン３１ａ，３１ｂが回転すると、図示の矢印のように、空気吸込口２５から吸込まれた空気が空気熱交換器３２ａ，３２ｂを通って冷却された後にクロスフローファン３１ａ，３１ｂを貫流して空気吹出口２９ａ，２９ａから吹き出される。
【００４８】
ところで、この実施の形態の場合、上記空気熱交換器３２ａ，３２ｂ下流側のクロスフローファン３１ａ，３１ｂと空気吹出口２９ａ，２９ｂとの間には、例えば前述の図２のものと同様の上方から下方に傾斜する菱形の網目部１９ａ，１９ａ・・・を備えた霧捕集手段としての霧捕集用ネット３９，３９が設けられている。
【００４９】
このように空気熱交換器３２ａ，３２ｂ通過後の空気流路に霧捕集用のネット３９，３９をドレンパン２８，２８部分に向けて下降するように傾斜させて設けると、空気熱交換器３２ａ，３２ｂ部分で発生した霧を霧捕集用ネット３９，３９が捕集することにより、空気吹出し口２９ａ，２９ｂからの霧吹きが防止される。そして、霧が捕集されて結露した水分が、そのままドレンパン２８，２８内に導入されて外部に排出される。
【００５０】
そして、霧捕集用ネット３９，３９上で水滴のブリッジなどを生じることなく、捕集された水分はドレンパン２８，２８内に速やかに導入されるため、霧捕集用ネット３９，３９部分が通風を阻害することもない。
【００５１】
霧捕集用ネット３９，３９は、例えば吸水性の材料（綿糸など）からなるネット状部材、または親水性材料からなる水を捕集しやすいネット部材よりなっている。
【００５２】
前者のような吸水性の材料によれば、ネット状部材により通風抵抗を大きくすることなく、素材自体の吸水作用を利用した効率的な霧の捕集が可能となる。
【００５３】
また、後者のような親水性の材料によれば、やはりネット状部材により通風抵抗を大きくすることなく、素材自体の親水作用を利用した効率的な霧の捕集とスムーズな排出（流下）が可能となる。
【００５４】
しかも、上記の構成において、上記ネット状部材の網目部は、捕集され結露した水がドレンパン２８，２８側の下方に流下しやすいように下方に向けて傾斜した構成となっており、かつその全体が一端側から他端側にかけて傾斜した状態で設けられている。
【００５５】
したがって、このような構成によれば、網目部で水滴のブリッジなどを生じることなく、捕集された水分がドレンパン２８，２８側に速やかに導入されるため、網目部分に結露水が滞留して通風を阻害するようなこともない。
【００５６】
以上の結果、同実施形態の構成によると、霧吹きの生じににくい快適性の高い空気調和機を低コストに実現することができる。
【００５７】
なお、以上の説明および図示の形態では、霧捕集用ネット３９，３９を１層状態で示したが、これは必要に応じて２層、３層と複数層とすることもできる。その場合、捕集量、捕集効率と空気圧損等との関係を考慮し、また網目径との関係を考慮して採用層数を決定する。
【００５８】
（第３の実施の形態）
次に図４は、本願発明の第３の実施の形態に係る空気調和機用室内機および同室内機の霧捕集手段部分の構成を示している。この実施の形態では、単一の通風路４０、単一のクロスフローファン４１、単一の空気熱交換器４２、単一の空気吹出口４９を備えたシングルフロー型の天井埋込式空気調和機が採用されている。
【００５９】
図４中、先ず符号５０は、当該天井埋込式空気調和機１のカセット型の本体ケーシングである。該本体ケーシング５０は、その吸気・吹出パネル（下面パネル部）４４が天井３と略同一平面状に連続するようにして、天井３内に埋設されている。
【００６０】
そして、上記本体ケーシング５０の上記吸気・吹出パネル４４には、その左右方向一側部に長方形状の空気吸込口４５が前後方向に延びて設けられ、さらに、その内側上方に熱交換器４２が前後方向に延び、かつ、その左右幅方向の全体が一側部側から他側部側ドレンパン４８方向に下降傾斜する状態で配設されている。
【００６１】
また、上記本体ケーシング５０の吸気・吹出パネル４４における上記上記空気吸込口４５の他方側（図示左側）位置には、所定の幅の空気吹出口４９が前後方向に延びて設けられている。
【００６２】
そして、それとともに上記本体ケーシング５０内には上記空気吸込口４５から上記空気吹出口４９方向に到るスクロール構造の単一の通風路４０が形成されており、該通風路４０の上記熱交換器４２の下流側背後（図示上部左側方）に位置してクロスフローファン４１が設けられている。同クロスフローファン４１が回転すると、図示の矢印のように、空気吸込口４５から吸込まれた空気が空気熱交換器４２を通って冷却された後にクロスフローファン４１を貫流して空気吹出口４９から吹き出される。
【００６３】
ところで、この実施の形態の場合、上記空気熱交換器４２下流側の上記クロスフローファン４１と空気吹出口４９との間には、例えば前述の図２のものと同様の菱形の網目部を有する霧捕集手段としての霧捕集用ネット５９が設けられている。この霧捕集用ネット５９は、一端側から他端側最下端部の主たるドレンパン４８ａ方向に下降傾斜させて設けられている。この場合、ドレンパンは、途中にも水滴の防止を図るために複数個設けられている（４８ｂ，４８ｃ参照）。
【００６４】
このように空気熱交換器４２通過後の空気流路に霧捕集用のネット５９を空気熱交換器４２を支持している最下端の主たるドレンパン４８ａ内に向けて下降するように傾斜させて設けると、空気熱交換器４２部分で発生した霧を霧捕集用ネット５９が捕集することにより、空気吹出口４９からの霧吹きが防止される。
【００６５】
そして、霧が捕集されて結露した水分が、そのままドレンパン４８ａ内にスムーズに導入されて外部に排出される。
【００６６】
そして、それにより上記霧捕集用ネット５９上で水滴のブリッジなどを生じることなく、捕集された水分はドレンパン４８ａ内に速やかに導入されるようになるため、霧捕集用ネット５９部分に水滴が滞留して通風を阻害するようなこともない。
【００６７】
また上記霧捕集用ネット５９は、例えば吸水性の高い材料（綿糸など）からなるネット状部材、または親水性材料からなる水を捕集しやすいネット部材により形成される。
【００６８】
前者のような吸水性の高い材料によれば、ネット状部材により通風抵抗を大きくすることなく、素材自体の吸水作用を利用した効率的な霧の捕集が可能となる。
【００６９】
また、後者のような親水性の高い材料によれば、やはりネット状部材により通風抵抗を大きくすることなく、素材自体の親水作用を利用した、より効率的な霧の捕集と排出（流下）が可能となる。
【００７０】
しかも、上記の構成において、前述の第１の実施の形態の場合と同様に、上記ネット状部材の網目部は、捕集され結露した水がドレンパン４８ａ側の下方に流下しやすいように下方に向けて傾斜曲成した構成となっており、かつその幅方向の全体が側部側から他側部側にかけて傾斜した状態で設けられている。
【００７１】
したがって、このような構成によれば、網目部で水滴のブリッジなどを生じることなく、捕集された水分がドレンパン４８ａ側に速やかに導入されるようになるため、網目部分に結露水が滞留して通風を阻害するようなこともない。
【００７２】
以上の結果、同実施形態の構成によると、霧吹きの生じににくい快適性の高い空気調和機を低コストに実現することができる。
【００７３】
なお、以上の説明および図示の形態では、上記霧捕集用ネット５９を１層状態で示したが、これは必要に応じて２層、３層と複数層とすることもできる。その場合、捕集量、捕集効率と空気圧損等との関係を考慮し、また網目径との関係を考慮して適切に採用層数を決定する。
【図面の簡単な説明】
【００７４】
【図１】本願発明の最良の実施の形態１に係る空気調和機の構成を示す断面図である。
【図２】同空気調和機の霧捕集用ネットの拡大正面図である。
【図３】本願発明の最良の実施の形態２に係る空気調和機の構成を示す断面図である。
【図４】本願発明の最良の実施の形態３に係る空気調和機の構成を示す断面図である。
【符号の説明】
【００７５】
１は空気調和機、２は本体ケーシング、９は空気吹出口、１０は通風路、１１はターボファン、１９は霧捕集用ネット、２０は本体ケーシング、２５は空気吸込口、２９ａ，２９ｂは空気吹出口、３０ａ，３０ｂは通風路、３１ａ，３１ｂはクロスフローファン、３２ａ，３２ｂは空気熱交換器、３９ａ，３９ｂは空気吹出口、４０は通風路、５９は霧捕集用ネットである。
【図１】
2008151402.tif 000003
【図２】
2008151402.tif 000004
【図３】
2008151402.tif 000005
【図４】
2008151402.tif 000006